(57)【要約】      （修正有）【課題】１つのフェイスプロテクターで全ての被装着者に対応でき、被装着者の頭部の形状に合わせて前後・左右・上下で大きさの調節ができると共に、しっかりと頭部に被着することができ、軽量なフェイスプロテクターを提供する。【解決手段】防護面６０、７０等を取り付けるための帽体１０と、帽体１０を支持して被装着者の頭部に装着されるヘッドギア体２０とで構成されるフェイスプロテクターであって、ヘッドギア体２０は、被装着者の頭側部に装着される頭側部固定帯２１と、頭側部固定帯２１に連結されて被装着者の頭頂部に装着される頭頂部固定帯２２とを有し、頭側部固定帯２１には、前後方向の粗調節ができる帯径粗調節手段３０と、微調節ができる帯径微調節手段４０とを設け、頭頂部固定帯２２には、高低調節ができる高低調節手段５０を設けた。【選択図】図１
0003135282.tif 000002
【実用新案登録請求の範囲】
【請求項１】
防護面等を取り付けるための帽体と、該帽体を支持して被装着者の頭部に装着されるヘッドギア体とで構成されるフェイスプロテクターであって、前記ヘッドギア体は、被装着者の頭側部に装着される頭側部固定帯と、該頭側部固定帯に連結されて被装着者の頭頂部に装着される頭頂部固定帯とを有し、
前記頭側部固定帯には、前後方向の粗調節ができる帯径粗調節手段と、微調節ができる帯径微調節手段とを設け、前記頭頂部固定帯には、高低調節ができる高低調節手段を設けたことを特徴とするフェイスプロテクター。
【請求項２】
帯径粗調節手段は、帯径微調節手段から左右方向に延出する一対の従動帯の先端に設けられた係止ボタンと、該係止ボタンを複数の係止孔の何れかに係止させる係止粗調節部とからなることを特徴とする請求項１に記載のフェイスプロテクター。
【請求項３】
帯径微調節手段は、一対の従動帯と、歯車を介して前記一対の従動帯を左右行き違い方向に進退させる微調節部と、前記歯車を回動させるための調節摘みとからなることを特徴とする請求項１又は２に記載のフェイスプロテクター。
【請求項４】
高低調節手段は、頭頂部固定帯を構成する一対のベルトを相互に挿通して重ね合わせるベルト通しと、該ベルト通しに重ね合わされた一対のベルトを相互に係合するための係合ピンと、複数の係合調節用孔とからなることを特徴とする請求項１〜３の何れかに記載のフェイスプロテクター。
【考案の詳細な説明】
【技術分野】
【０００１】
本考案はフェイスプロテクターに関する。
【背景技術】
【０００２】
従来、フェイスプロテクターとして、溶接などの溶接光や火花から顔を防護する防護面や、石材や木材の研磨や加工に用いられるヘルメット装着用の防護面が提供されている。
一方、特開２０００−１７５９５６号公報には、透明プラスチック製の面本体と、上下方向に回動できる支持部を備えた頭部固定部材とで構成した防護面が提供されている。
また特開２００６−５２４９７号公報には、ヘルメットの前面に２本の案内溝を設けて、そのヘルメットの内側で２本の案内溝に係止して上下自在に動くコロに透明の防護面を取り付け、防護面をヘルメットの内側に収納できるようにすると共に、外側に引き出して装着できるようにした防護面付きヘルメットが提供されている。
【特許文献１】特開２０００−１７５９５６号公報
【特許文献２】特開２００６−５２４９７号公報
【考案の開示】
【考案が解決しようとする課題】
【０００３】
上記特許文献１に示すような防護面は、帽体ではなく、またベルト状の頭部固定部材を鉢巻の様に巻き付け、面ファスナで締着させるだけであるので、防護面を支えるのは１箇所だけとなり、作業中に防護面が動き易く、またその動きによって頭部固定部材が外れたりするなどの問題がある。
また上記特許文献２に示す防護面付きヘルメットは、ヘルメットに防護面を内設し、随時、防護面を引き出して装着できるものであるが、防護面の面積が小さく、被装着者の頭の大きさによって複数サイズのヘルメットを用意する必要があり、またサイズの異なる複数のヘルメットの中から自分の頭の大きさにあったヘルメットを探さなければならない煩わしさがある。更にヘルメットの重さと防護面の大きさ等から研磨や切削などの作業には利用し難い問題があった。
【０００４】
そこで本考案は上記従来技術の問題を解決し、１つのフェイスプロテクターで全ての被装着者に対応でき、被装着者の頭部の形状に合わせて前後・左右・上下で大きさの調節ができると共に、しっかりと頭部に被着することができ、軽量なフェイスプロテクターの提供を課題とする。
【課題を解決するための手段】
【０００５】
上記課題を達成するための本考案のフェイスプロテクターは、防護面等を取り付けるための帽体と、該帽体を支持して被装着者の頭部に装着されるヘッドギア体とで構成されるフェイスプロテクターであって、前記ヘッドギア体は、被装着者の頭側部に装着される頭側部固定帯と、該頭側部固定帯に連結されて被装着者の頭頂部に装着される頭頂部固定帯とを有し、前記頭側部固定帯には、前後方向の粗調節ができる帯径粗調節手段と、微調節ができる帯径微調節手段とを設け、前記頭頂部固定帯には、高低調節ができる高低調節手段を設けたことを第１の特徴としている。
また本考案のフェイスプロテクターは、上記第１の特徴に加えて、帯径粗調節手段は、帯径微調節手段から左右方向に延出する一対の従動帯の先端に設けられた係止ボタンと、該係止ボタンを複数の係止孔の何れかに係止させる係止粗調節部とからなることを第２の特徴としている
また本考案のフェイスプロテクターは、上記第１又は第２の特徴に加えて、帯径微調節手段は、一対の従動帯と、歯車を介して前記一対の従動帯を左右行き違い方向に進退させる微調節部と、前記歯車を回動させるための調節摘みとからなることを第３の特徴としている。
また本考案のフェイスプロテクターは、上記第１〜第３の何れかの特徴に加えて、高低調節手段は、頭頂部固定帯を構成する一対のベルトを相互に挿通して重ね合わせるベルト通しと、該ベルト通しに重ね合わされた一対のベルトを相互に係合するための係合ピンと、複数の係合調節用孔とからなることを第４の特徴としている。
【考案の効果】
【０００６】
請求項１に記載のフェイスプロテクターによれば、防護面等を取り付けるための帽体と、該帽体を支持して被装着者の頭部に装着されるヘッドギア体とで構成されるフェイスプロテクターであって、前記ヘッドギア体は、被装着者の頭側部に装着される頭側部固定帯と、該頭側部固定帯に連結されて被装着者の頭頂部に装着される頭頂部固定帯とを有し、前記頭側部固定帯には、前後方向の粗調節ができる帯径粗調節手段と、微調節ができる帯径微調節手段とを設け、前記頭頂部固定帯には、高低調節ができる高低調節手段を設けたので、
前記帽体によって被装着者の前頭部を防護することができ、またそこに防護面を取り付けることができる。ヘッドギア体は頭側部固定帯と頭頂部固定帯とからなるので、ヘルメット等の頭部全体を覆うような形状のものに比べて軽量である。しかも防護面を頭側部と頭頂部との２箇所で支持しているので、顔全体を覆うような大きな防護面であっても、しっかりと装着できる。
また頭側部固定帯に帯径粗調節手段と帯径微調節手段、頭頂部固定帯に高低調節手段の３つの調節手段を設けているので、被装着者の側頭部と頭頂部のそれぞれの大きさに合わせたキメ細かい調節をすることができ、被装着者は頭部にピッタリとフィットした状態で、本フェイスプロテクターを被着することができる。またサイズの異なる複数のフェイスプロテクターを作製する必要がなく、１つのフェイスプロテクターでもって、全ての人のサイズに対応させることができる。
【０００７】
請求項２に記載のフェイスプロテクターによれば、請求項１に記載の構成による作用効果に加えて、帯径粗調節手段は、帯径微調節手段から左右方向に延出する一対の従動帯の先端に設けられた係止ボタンと、該係止ボタンを複数の係止孔の何れかに係止させる係止粗調節部とからなるので、
複数設けられた係止孔の何れかに、帯径微調節手段を構成する従動帯の先端に設けられた係止ボタンを挿嵌して係止させるだけでよいので、被装着者の頭側部にあった大きさに、簡単にサイズの調節をすることができる。
【０００８】
請求項３に記載のフェイスプロテクターによれば、請求項１又は２に記載の構成による作用効果に加えて、帯径微調節手段は、一対の従動帯と、歯車を介して前記一対の従動帯を左右行き違い方向に進退させる微調節部と、前記歯車を回動させるための調節摘みとからなるので、
調節摘みを手動で回動させることにより、微調節部に設けられた歯車が回動し、それによって一対の従動帯が従動して左右行き違い方向に進退する。被装着者は自分の頭側部の形状に合わせて、調節摘みを回動させるだけで、簡単に微調節ができ、頭側部によりフィットしたフェイスプロテクターとすることができる。
【０００９】
請求項４に記載のフェイスプロテクターによれば、請求項３に記載の構成による作用効果に加えて、高低調節手段は、前記頭頂部固定帯の片方に複数の長さ調節用孔と、前記頭頂部固定帯の他方に設けた係合ピンからなる高低調節ベルトであるので、
前記高低調節手段である前記高低調節ベルトの片方に設けた複数の前記長さ調節用孔の何れかに、前記高低調節ベルトの他方に設けた前記係合ピンを挿嵌するだけで、簡単に高さの調節をすることができる。よって被装着者は、自分の頭頂部の大きさにフィットしたフェイスプロテクターを装着することができる。また頭部に深く装着したり、着脱がし易いように浅く装着したりする等、そのときの状況に応じた高さ調節が可能となる。
【考案を実施するための最良の形態】
【００１０】
以下の図面を参照して、本考案の実施の形態を詳細に説明する。
図１は本考案の実施形態に係るフェイスプロテクターの側面図、図２は本考案の実施形態に係るフェイスプロテクターの平面図、図３は本考案の係止粗調節部の拡大斜視図、図４は本考案の微動調節部の内部構成を示す図、図５は本考案の高低調節手段を示す拡大側面図である。
【００１１】
先ず図１、図２を参照して、本考案のフェイスプロテクター１は、帽体１０と、ヘッドギア体２０とで構成される。
【００１２】
前記帽体１０は、プラスチック製の庇部１１と、該庇部１１に設けられた防護面６０（７０）を取り付けるための防護面取付部１２とから構成されている。
また帽体１０の両後端には、前記ヘッドギア体２０に螺着して結合するための締着摘み１３を設けている。
そして前記締着摘み１３を締め付けることで、前記帽体１０は前記ヘッドギア体２０に対して回動自在に結合するよう構成される。
【００１３】
締着摘み１３は、前記帽体１０と前記ヘッドギア体２０を螺着して締着結合しているので、締着摘み１３を緩めると前記帽体が容易に上下回動できるようになり、よって前記防護面取付部１２に取り付けた前記防護面６０（７０）を容易に上下方向に動かすことができる。
【００１４】
防護面は、例えば透明のシールド板を用いた防護面６０と、網状のメッシュ板を用いた防護面７０とを用いることができる。作業内容に合わせて、例えば研磨加工、石材加工、製材加工等の粉塵が多い作業では粉塵を通さない透明のシールド板を用いた防護面６０を、草刈り等の作業では網状のメッシュ板７０とを、取り替え自在に使用できる。
また防護面６０には複数の取付孔６０ａが、防護面７０には複数の取付孔７０ａが、何れも板の上端に設けられている。
【００１５】
防護面取付部１２には、前記取付孔６０ａ、７０ａと対応する位置に、防護面６０、７０を挟着状態で取り付けるための曲折ピン１４を複数設けている。
前記曲折ピン１４を前記取付孔６０ａ（７０ａ）に挿通し、回動させるだけで、簡単に防護面６０（７０）の取り付け、或いは取り外しができる。
【００１６】
前記ヘッドギア体２０は、プラスチック製で被装着者の頭側部に装着させる頭側部固定帯２１と、該頭側部固定帯２１の中央に近接した両側から上方向に伸びた頭頂部固定帯２２とで構成される。
【００１７】
頭側部固定帯２１は、前部には被装着者の前頭部を保護するための滑り止めを兼ねた弾性帯部２１ａが取り付けられ、後部には左右の中央部付近にそれぞれ設けられた帯径粗調節手段３０を介して一対の従動帯４３（右帯４３ａ、左帯４３ｂ）が取り付けられ、全体として帯状に構成されている。
【００１８】
帯径粗調節手段３０は、前記係止粗調節部３１と、前記一対の従動帯４３の各先端部に設けられた係止ボタン４３ｃとから構成される。
図３も参照して、係止孔調節部３１は、略楕円形状の係止多孔盤３１１と、該係止多孔盤３１１の中央部で開閉する止板３１２とからなる。
【００１９】
前記係止多孔盤３１１には、連通路を介して３つの係止用孔３１１ａが設けられており、該係止用孔３１１ａの何れかに前記従動帯の係止ボタン４３ｃを嵌め合わせて係合することで、簡単に、３段階のサイズ調節ができる。
前記止板３１２は、前記係止用孔３１１ａに係合された係止ボタン４３ｃを止めるための板で、該止板３１２のほぼ中央部分に設けられ、中央の係止用孔３１１ａに係止ボタン４３ｃが係合した際に該係止ボタン４３ｃが係止位置から左右方向に動いてしまうのを防止するための止孔３１２ａと、該止板３１２の両側部に設けられ、左右の係止用孔３１１ａのどちらかに係止ボタン４３ｃが係合した際に該係止ボタン４３ｃが係止位置から左方向或いは右方向へ動いてしまうのを防止するための止溝３１２ｂ、３１２ｂとが設けられている。また前記係止多孔盤３１１の中央の係止用孔３１１ａの上部に設けられた嵌合孔３１１ｃと対応する位置に、嵌合ピン３１２ｃが設けられている。
被装着者の頭側部のサイズにあった係止用孔３１１ａを選択して、そこに係止ボタン４３ｃを係合させ、止板３１２の嵌合ピン３１２ｃを係止多孔盤３１１の嵌合孔３１１ｃに嵌合させて止板３１２を係止多孔盤３１１に止めることで、止孔３１２ａ或いは止溝３１２ｂによって、係止ボタン４３ｃが係止位置から左右方向に動いてしまわないように、しっかりと止めることができる。よって装着中に係止ボタン４３ｃが連通路の方へ移動してしまうといった不都合がなくなる。
【００２０】
前記係止粗調節部３１は頭側部固定帯２１と一体成形されているので、係止粗調節部３１と従動帯４３の係止ボタン４３ｃとが係合されることは、即ち、頭側部固定帯２１と従動帯４３とが連結されることになる。よって帯径粗調節手段３０は、頭側部固定帯２１と従動帯４３とを連結する役割もなす。
係止ボタン４３ｃは従動帯４３に対して回動自在に設けられているので、自分の頭部の形状にあった角度に従動帯４３を位置させることができる。
【００２１】
帯径粗調節手段３０を用いることによって、簡単な構成で、段階的なサイズの調節が可能となるので、サイズの異なる複数のフェイスプロテクターを作製する必要がなく、低コストである。
なお本実施形態では、係止用孔３１１ａを３つ設けて３段階の調節ができるように構成したが、これに限定されるものではない。係止用孔３１１ａを２つ設けて２段階の調節ができるものや、４つ設けて４段階の調節ができるものとしてもよい。
【００２２】
帯径微調節手段４０は、曲面をもった長方体形状の微調節部４１と、調節摘み４２と、従動帯４３とから構成される。
【００２３】
図４を参照して、微調節部４１の内部にはピニオン歯車４１ａが設けられ、外表面の中央部には該ピニオン歯車４３を回動させるための調節摘み４２が取り付けられている。
前記従動帯４３は右帯４３ａと左帯４３ｂとからなり、各帯４３ａ、４３ｂの先端部分には前述の係止ボタン４３ｃが設けられ、後端部分にはラックが設けられて、微調節部４１の内部でピニオン歯車４１ａと嵌り合うようになされている。
前記調節摘み４２を回すことで、微調節部４１内のピニオン歯車４１ａが回動し、それに従動して従動帯４３の右帯４３ａと左帯４３ｂが左右行き違い方向に進退する。よって従動帯４３全体を長くしたり、短くしたりして、長さの微調節をすることができる。
前記帯径粗調節手段３０で複数種類のサイズから自分にあったサイズを選択した被装着者は、帯径微調節手段４０の調節摘み４２を回すことで更に大きさの微調節が行えるので、個々の被装着者の頭側部によりフィットしたフェイスプロテクター１とすることができる。
【００２４】
図５も参照して、高低調節手段５０は、頭頂部固定帯２２を構成する左右一対のベルト２２ａ、２２ｂと、一方のベルトに設けられるベルト通し５１と複数の係合調節用孔５３と、他方のベルトに設けられる係合ピン５２とから構成される。
右ベルト２２ａに設けられたベルト通し５１に左ベルト２２ｂを通して、複数開けられた係合用調孔５３の何れかに係合ピン５２を係合させることで、装着者の頭頂部の大きさにあった高さに簡単に調節ができる。また深くかぶったり、浅くかぶったり等、装着時の状況に合わせて高さの調節をすることができる。
なお本実施形態では、左ベルト２２ａにベルト通し５１と係合調節用孔５３を、右ベルト２２ｂに係合ピン５２を設ける構成としているが、これに限定されるものではなく、左右どちらのベルトに設けてもよい。また本実施形態では、係合ピン５２は２個設けているが、これに限定されず、係合ピン５２を１個以上設ける構成であればよい。しかし、しっかりと係合することを考慮すると、２個程度設けるのが好ましい。
【００２５】
上記のような構成により、本フェイスプロテクター１においては前後、上下、左右の方向での調節が可能となるので、１つのフェイスプロテクターでもって全ての被装着者に対応させることができる。
【図面の簡単な説明】
【００２６】
【図１】本考案の実施形態に係るフェイスプロテクターの側面図である。
【図２】本考案の実施形態に係るフェイスプロテクターの平面図である。
【図３】本考案の係止粗調節部の拡大斜視図である。
【図４】本考案の微動調節部の内部構成を示す図である。
【図５】本考案の高低調節手段を示す拡大側面図である。
【符号の説明】
【００２７】
１        フェイスプロテクター
１０      帽体
１１      庇部
１２      防護面取付部
１３      締着摘み
１４      曲折ピン
２０      ヘッドギア体
２１      頭側部固定帯
２１ａ    弾性帯部
２２      頭頂部固定帯
２２ａ    右ベルト
２２ｂ    左ベルト
３０      帯径粗調節手段
３１      係止粗調節部
３１１    係止多孔盤
３１１ａ  係止用孔
３１１ｃ  嵌合孔
３１２    止板
３１２ａ  止孔
３１２ｂ  止溝
３１２ｃ  嵌合ピン
４０      帯径微調節手段
４１      微調節部
４１ａ    ピニオン歯車
４２      調節摘み
４３      従動帯
４３ａ    右帯
４３ｂ    左帯
４３ｃ    係止ボタン
５０      高低調節手段
５１      ベルト通し
５２      係合ピン
５３      係合調節用孔
６０      防護面
６０ａ    取付孔
７０      防護面
７０ａ    取付孔
【図１】
0003135282.tif 000003
【図２】
0003135282.tif 000004
【図３】
0003135282.tif 000005
【図４】
0003135282.tif 000006
【図５】
0003135282.tif 000007